(57)【特許請求の範囲】
【請求項１】
帯状体を巻き取るための筒状の巻取ロールにおける軸長方向の両端部を挟持する一対のロール保持部材と、前記帯状体の先端部を前記巻取ロールに固定するための固定部材とを備え、前記ロール保持部材を介して前記巻取ロールを回転駆動することにより帯状体を巻き取るように構成されている、帯状体の巻取装置であって、
前記一対のロール保持部材は、それぞれ凸部を備えており、該各凸部を前記巻取ロールの両端部の開口に遊嵌させることにより、該巻取ロールを相対回転可能に挟持するように構成されており、
前記固定部材は、前記巻取ロールの外周面上を経由して前記一対のロール保持部材を連結するように配設され、該巻取ロールの外周面との間に前記帯状体の先端部を挿入した状態で、前記一方のロール保持部材が回転駆動されると、該固定部材が該巻取ロールの外周面に巻き付くことにより、該先端部を該外周面に固定するように構成されている
帯状体の巻取装置。
【請求項２】
前記一対のロール保持部材を支持するフレームは、該両ロール保持部材の間隔が調節可能に構成されている請求項１記載の帯状体の巻取装置。
【請求項３】
前記巻取ロールに向かう前記帯状体に対し、その長さ方向へ張力を発生させる張力発生部を備えている請求項１又は２記載の帯状体の巻取装置。
【請求項４】
前記巻取ロールに向かう前記帯状体を、その幅方向へ展開させる展開部を備えている請求項１〜３のいずれか一項に記載の帯状体の巻取装置。
【発明の詳細な説明】
【技術分野】
【０００１】
本発明は、シート、フィルム、ネット等の帯状体の巻取装置に関するものである。
【背景技術】
【０００２】
従来の帯状体の巻取装置としては、特許文献１に記載されたマルチシート用作業機を例示する。図７に示すように、この作業機の梁状のフレーム１１１の上面には、一対のロール保持部１１２，１１３が設けられている。一対のロール保持部１１２，１１３の互いに対向する面には、それぞれロール保持部材１１２ａ，１１３ａが設けられている。
【０００３】
ロール保持部１１２に設けられたロール保持部材１１２ａは、先端に向かって軸径が細くなる略円錐台状に形成された先端部と、この先端部と同軸となるように設けられた棒状の後端部とを備えている。このロール保持部材１１２ａは、その後端部がロール保持部１１２に回転可能に保持されており、しかも、フレーム１１１の一端部に設けられた回転手段のモータ１１５と連結されている。
【０００４】
ロール保持部１１３に設けられたロール保持部材１１３ａは、実質的にロール保持部材１１２ａと同じ構造を有している。なお、ロール保持部材１１３ａでは、その先端部がベアリング等を介して棒状の後端部に回転可能に取り付けられている。このロール保持部材１１３ａは、その後端部がネジ軸となっており、このネジ軸がロール保持部１１３に形成されたネット部に螺合している。そして、ロール保持部材１１３ａの後端部に連結されたハンドル１１３ｂをまわすと、ロール保持部材１１３ａをロール保持部１１３に対して進退させることできるようになっている。
【０００５】
以上の構成により、一対のロール保持部材１１２ａ，１１３ａ間に筒状のロール状部材Ｒを配置し、ロール保持部材１１３ａをロール保持部材１１２ａに向けて移動させれば、一対のロール保持部材１１２ａ，１１３ａによってロール状部材Ｒを挟んで保持することができるようになっている。そして、ロール状部材Ｒを挟んだ状態から、ロール保持部材１１３ａをロール保持部材１１２ａに向けてさらに移動させれば、ロール状部材Ｒと、ロール保持部材１１２ａおよびロール保持部材１１３ａの先端部との相対的な回転を固定することができるようになっている。この状態において、回転手段のモータ１１５を作動させれば、ロール保持部材１１２ａが軸まわりに回転し、保持部材１１２ａとともにロール状部材Ｒを回転させることができるようになっている。
【先行技術文献】
【特許文献】
【０００６】
【特許文献１】実用新案登録第３１３４３２７号公報
【発明の概要】
【発明が解決しようとする課題】
【０００７】
ところが、マルチシート用作業機では、先端に向かって軸径が細くなる略円錐台状に形成された先端部を有する、一対のロール保持部材１１２ａ及び１１３ａによりロール状部材Ｒを挟んで、空転しないように保持するため、ロール状部材Ｒの両端の開口部が前記先端部によって押し広げられる。特に、モータ１１５によって駆動されるロール保持部材１１２ａが接する開口部には捻りも加わる。そのため、ロール状部材Ｒの材質が紙製である場合、前記開口部が損傷したり変形したりしやすく、ロール状部材Ｒを再利用できる回数が少なくなるという課題がある。仮に、ロール状部材Ｒを樹脂製や金属製等の丈夫な物に変更することも考えられるが、そうすると、コストが掛かるとともに、重量が増大して取り扱いがし難くなるという課題が生ずる。
【課題を解決するための手段】
【０００８】
前記課題を解決するために、本発明の帯状体の巻取装置は、
帯状体を巻き取るための筒状の巻取ロールにおける軸長方向の両端部を挟持する一対のロール保持部材と、前記帯状体の先端部を前記巻取ロールに固定するための固定部材とを備え、前記ロール保持部材を介して前記巻取ロールを回転駆動することにより帯状体を巻き取るように構成されている、帯状体の巻取装置であって、
前記一対のロール保持部材は、それぞれ凸部を備えており、該各凸部を前記巻取ロールの両端部の開口に遊嵌させることにより、該巻取ロールを相対回転可能に挟持するように構成されており、
前記固定部材は、前記巻取ロールの外周面上を経由して前記一対のロール保持部材を連結するように配設され、該巻取ロールの外周面との間に前記帯状体の先端部を挿入した状態で、前記一方のロール保持部材が回転駆動されると、該固定部材が該巻取ロールの外周面に巻き付くことにより、該先端部を該外周面に固定するように構成されている。
【０００９】
前記固定部材としては、前記一方のロール保持部材が回転駆動されると、前記巻取ロールの外周面に巻き付くことが可能な部材であれば特に限定されないが、紐、ロープ、針金、ワイヤ、チェーン、棒体等を例示する。
【００１０】
この構成によれば、前記固定部材が前記巻取ロールの外周面に巻き付くことにより、帯状体の先端部を該外周面に固定するように構成されているので、様々な材質や径の前記巻取ロールを使用することができる。また、前記一対のロール保持部材は、前記巻取ロールを相対回転可能に挟持するように構成されているので、従来とは異なり、該巻取ロールの両端部に過度な負荷が掛かることがなく、該両端部が損傷したり変形したりし難い。そのため、該巻取ロールを繰り返し使用することができる。
【００１１】
前記帯状体の巻取装置としては、
前記一対のロール保持部材を支持するフレームは、該両ロール保持部材の間隔が調節可能に構成されている態様を例示する。
【００１２】
この構成によれば、種々の幅の前記巻取ロール及び前記帯状体に対応することができる。
【００１３】
前記帯状体の巻取装置としては、
前記巻取ロールに向かう前記帯状体に対し、その長さ方向へ張力を発生させる張力発生部を備えている態様を例示する。
【００１４】
この構成によれば、帯状体の巻取状態を均一にすることができる。
【００１５】
前記帯状体の巻取装置としては、
前記巻取ロールに向かう前記帯状体を、その幅方向へ展開させる展開部を備えている態様を例示する。
【００１６】
この構成によれば、帯状体の重なり、捻れ、皺等を平滑に展開させることができる。そのため、帯状体の幅方向の両側に作業者を配置する必要がなく、一人でも巻取作業をすることができる。
【発明の効果】
【００１７】
本発明に係る帯状体の巻取装置によれば、様々な材質や径の巻取ロールを使用することができるとともに、巻取作業時に該巻取ロールを損傷させたり、変形させたりし難いという優れた効果を奏する。
【図面の簡単な説明】
【００１８】
【図１】本発明を具体化した一実施形態に係る帯状体の巻取装置の側面図である
【図２】同帯状体の巻取装置の平面図である。
【図３】同帯状体の巻取装置の背面図である。
【図４】同帯状体の巻取装置の要部を拡大した背断面図である。
【図５】同帯状体の巻取装置の概略側断面図である。
【図６】同帯状体の巻取装置の変更例を示す図であり、（ａ）は変更例に係るガイド盤の斜視図、（ｂ）は同ガイド盤への固定部材７の取付例を示す図、（ｃ）は同ガイド盤への固定部材７の別の取付例を示す図である。
【図７】従来の帯状体の巻取装置としてのマルチシート用作業機の平面図である。
【発明を実施するための形態】
【００１９】
図１〜図５は本発明を具体化した一実施形態の帯状体Ｓの巻取装置１を示している。この巻取装置１は、図１〜３に示すように、フレーム２を備え、該フレーム２には、帯状体Ｓをその幅方向へ展開させる展開部３と、帯状体Ｓにその長さ方向へ張力を発生させる張力発生部４と、帯状体Ｓを巻き取るための筒状の巻取ロールＲを保持する一対のロール保持部材５，５と、一方のロール保持部材５を回転駆動するための駆動手段６とが支持されている。さらに、巻取装置１は、帯状体Ｓの先端部Ｓａを巻取ロールＲに固定するための固定部材７を備えている。なお、各図において、矢印Ｆは装置前側を指し示している。
【００２０】
フレーム２は、支持面に立設された左右一対の脚フレーム１１と、該両脚フレーム１１に支持された、左右方向に延びる第一横フレーム１２と、該第一横フレーム１２の両端部にそれぞれ立設された一対のロール支持フレーム１３，１３と、左右一対の前後フレーム１４，１４を介して第一横フレーム１２に支持された第二横フレーム１５とを備えている。脚フレーム１１は、上部脚フレーム１１ａと下部脚フレーム１１ｂとにより構成されており、下部脚フレーム１１ｂには、前後方向へ延びる接地部材１１ｃが下端に取り付けられている。そして、脚フレーム１１は、上部脚フレーム１１ａと下部脚フレーム１１ｂの相対的な取付位置を調節することにより脚フレーム１１の上下方向の長さを調節したり、下部脚フレーム１１ｂを取り外したりすることができるように構成されている。第一横フレーム１２は、左右方向の長さが調節可能に構成されており、これにより、両ロール支持フレーム１３，１３の間隔が調節可能になっている。ロール支持フレーム１３の上端部には、側面視でＵ字状に省かれた軸受け部１３ａ（図４参照）が設けられている。軸受け部１３ａには、ロール保持部材５の後述する軸体２１が配設され、軸保持部材１３ｂによって回転可能かつ軸受け部１３ａから脱落不可能に保持されるようになっている。また、第一横フレーム１２の後ろ側には、本巻取装置１をトラック（図示略）の荷台のアオリに取り付けるための取付部１７を備えている。取付部１７は、下部脚フレーム１１ｂを取り外して使用するようになっている。これにより、トラックの荷台に取り付けた状態で巻取装置１を使用することができ、巻取装置１が容易に移動可能になる。左右一対の前後フレーム１４，１４は、それぞれ第一横フレーム１２に対して着脱可能、且つ、第一横フレーム１２の伸縮に応じて、該第一横フレームの長さ方向の取付位置が調節可能に構成されている。
【００２１】
張力発生部４は、第二横フレーム１５から前方の斜め上方に突設された左右一対の側枠１８と、該両側枠１８，１８の長さ方向に間隔をおいて列設された一対の丸棒状の抵抗棒１９，１９（中空又は中実のいずれでも構わない。）とを備えている。各抵抗棒１９，１９は、両側枠１８，１８に対して回転自在に支持されている。そして、張力発生部４は、抵抗棒１９，１９により、巻取ロールＲに向かう帯状体Ｓに対し、その長さ方向へ張力を発生させるようになっている。
【００２２】
展開部３は、第二横フレーム１５から張力発生部４よりも前方の斜め上方に中央部が張り出すように円弧状に形成された丸棒状の展開棒２０（中空又は中実のいずれでも構わない。）を備えている。そして、展開部３は、展開棒２０により、張力発生部４に進入する手前で、巻取ロールＲに向かう帯状体Ｓを、その幅方向へ展開させるようになっている。
【００２３】
ロール保持部材５は、図４に示すように、ロール支持フレーム１３の軸受け部１３ａに回転可能に支持される軸体２１を備えている。軸体２１には、その先端から軸方向にそれぞれ間隔をおいて列設された位置決め部２２及びガイド盤２３を備えており、軸体２１における位置決め部２２よりも先端側が巻取ロールＲの両端部の開口に遊嵌させるための凸部５ａとなっている。一対のロール保持部材５は、各凸部５ａを巻取ロールＲの両端部の開口にそれぞれ遊嵌させることにより、該巻取ロールＲを相対回転可能に挟持するように構成されている。位置決め部２２は、その凸部５ａ側の面に巻取ロールＲの端部が当接し、ロール保持部材５に対する巻取ロールＲの端部を位置決めするようになっている。ガイド盤２３は、その外周部に、反凸部側に傾斜させてなる傾斜部位２３ａを備えており、該傾斜部位２３ａにより巻取ロールＲに巻き取られるときの帯状体Ｓの幅方向の端縁部が巻取ロールＲの端部付近に揃うようにガイドするようになっている。さらに、ガイド盤２３には、固定部材７の端部を取り付けるための取付手段としての取付穴２３ｂが設けられている。取付手段としては、固定部材７の端部を取り付けるための手段であればよく、切欠、フック、リング等の手段を採用してもよい。取付穴２３ｂは、巻取ロールＲの外周の外側に位置していることが好ましく、巻取ロールＲの外周の付近に位置していることがさらに好ましい。
【００２４】
固定部材７は、巻取ロールＲの外周面上を経由して一対のロール保持部材５を連結するように配設されている。本例では固定部材７として、紐が採用されており、紐の端部は、ガイド盤２３の取付穴２３ｂに通されるとともに、該取付穴２３ｂに係止するための係止手段としての止め結び７ａ（公知の結び方を適宜採用することができる。）がなされている。係止手段としては、取付穴２３ｂに係止可能な手段であれば特に限定されず、例えば、取付穴２３ｂを通過不可能又は通過困難な形状の抜止金具に紐の端部を接続することによる手段に変更することもできる。
【００２５】
駆動手段６は、一方のロール保持部材５の軸体２１に取り付けられるようになっている。本例では、原動機としてのモータ２５の駆動軸２５ａと、手動ハンドル２６の駆動軸２６ａとが、選択的に軸体２１に接続可能に構成されている。
【００２６】
次に、本例の巻取装置１の使用方法について説明する。
（１）両ロール保持部材５の軸保持部材１３ｂをそれぞれ取り外すことにより、両ロール保持部材５をそれぞれロール支持フレーム１３の軸受け部１３ａから取り外し可能な状態にする。そして、巻取ロールＲの両端部の開口に両ロール保持部材５の凸部５ａをそれぞれ遊嵌させ、その状態で、両ロール保持部材５をそれぞれ軸受け部１３ａに配設するとともに軸保持部材１３ｂにより保持させる。
（２）固定部材７を、図４に示すように、巻取ロールＲの外周面上を経由して一対のロール保持部材５を連結するように配設する。
（３）帯状体Ｓの先端部Ｓａを、図５に示すように、展開部３の上側を経由させ、張力発生部４の下側の抵抗棒１９及び上側の抵抗棒１９にそれぞれ巻き掛けた後、巻取ロールＲの外周面と固定部材７との間に挿入する。帯状体Ｓの先端部Ｓａを差し込む方向は、図５に示すように、駆動手段による回転方向（同図中の矢印方向）と反対向きにする方が、先端部Ｓａが巻取ロールＲの外周面と固定部材７との間に固定され易いが、同回転方向と同じ向きにしても構わない。
（４）一方のロール保持部材５を駆動手段６により回転駆動すると、該固定部材７が該巻取ロールＲの外周面に巻き付くことにより、該先端部Ｓａが固定される。そして、一方のロール保持部材５をさらに回転駆動すると、該一方のロール保持部材５に固定部材７を介して連結された他方のロール保持部材５と、両ロール保持部材５に挟持され、且つ、固定部材７が巻き付いた巻取ロールＲとが、一方のロール保持部材５の回転に従動し始める。それによって、帯状体Ｓが巻取ロールＲに巻き取られてゆく。
（５）巻取ロールＲに帯状体Ｓを巻き取り終わると、固定部材７の両端の結び目７ａを切断するか、解くかすると、帯状体Ｓを巻き取った巻取ロールＲを、一対のロール保持部材５から取り外すことができる。
【００２７】
以上のように構成された本例の帯状体Ｓの巻取装置１によれば、固定部材７が巻取ロールＲの外周面に巻き付くことにより、帯状体Ｓの先端部Ｓａを該外周面に固定するように構成されているので、様々な材質や径の巻取ロールＲを使用することができる。また、一対のロール保持部材５は、巻取ロールＲを相対回転可能に挟持するように構成されているので、従来とは異なり、該巻取ロールＲの両端部に過度な負荷が掛かることがなく、該両端部が損傷したり変形したりし難い。そのため、該巻取ロールＲを繰り返し使用することができる。
【００２８】
また、一対のロール保持部材５を支持するフレームは、該両ロール保持部材５の間隔が調節可能に構成されているので、種々の幅の巻取ロールＲ及び帯状体Ｓに対応することができる。
【００２９】
また、巻取ロールＲに向かう帯状体Ｓに対し、その長さ方向へ張力を発生させる張力発生部４を備えているので、帯状体Ｓの巻取状態を均一にすることができる。
【００３０】
さらに、巻取ロールＲに向かう帯状体Ｓを、その幅方向へ展開させる展開部３を備えているので、帯状体Ｓの重なり、捻れ、皺等を平滑に展開させることができる。そのため、帯状体Ｓの幅方向の両側に作業者を配置する必要がなく、一人でも巻取作業をすることができる。
【００３１】
なお、本発明は前記実施形態に限定されるものではなく、例えば以下のように、発明の趣旨から逸脱しない範囲で適宜変更して具体化することもできる。
（１）ガイド盤２３に、固定部材７の端部を取り付けるための取付手段としての取付穴２３ｂを複数設けること。取付穴２３ｂを２個設けた場合の実施例を図６に示す。図６の（ｂ）及び（ｃ）は、この変更例に係るガイド盤２３への固定部材７の取付例をそれぞれ示している。
（２）固定部材７を、ロープ、針金、ワイヤ、チェーン、棒体等に変更すること。
（３）ガイド盤２３の前記取付手段や、固定部材７の前記係止手段を適宜変更すること。
（４）前記取付手段を、ガイド盤２３に設けることに代えて、ロール保持部材５の位置決め部に設けるように変更すること。
（５）ロール保持部材５から位置決め部を省き、位置決め部の役割をガイド盤２３に担わせるようにすること。
【符号の説明】
【００３２】
１    巻取装置
２    フレーム
３    展開部
４    張力発生部
５    ロール保持部材
５ａ  凸部
６    駆動手段
７    固定部材
７ａ  結び目
１１    脚フレーム
１１ａ  上部脚フレーム
１１ｂ  下部脚フレーム
１１ｃ  接地部材
１２    第一横フレーム
１３    ロール支持フレーム
１３ａ  軸受け部
１３ｂ  軸保持部材
１４    前後フレーム
１５    第二横フレーム
１７    取付部
１８    側枠
１９    抵抗棒
２０    展開棒
２１    軸体
２２    位置決め部
２３    ガイド盤
２３ａ  傾斜部位
２３ｂ  取付穴
２５    モータ
２５ａ  駆動軸
２６    手動ハンドル
２６ａ  駆動軸
Ｆ    装置前側
Ｒ    巻取ロール
Ｓ    帯状体
Ｓａ  先端部
【図１】
0006402084.tif 000002
【図２】
0006402084.tif 000003
【図３】
0006402084.tif 000004
【図４】
0006402084.tif 000005
【図５】
0006402084.tif 000006
【図６】
0006402084.tif 000007
【図７】
0006402084.tif 000008